(57)【要約】  【課題】  施工能率の改善。  【解決手段】  鉄筋コンクリート建築物の解体工法は、解体対象建築物１０をワイヤソーなどの切断装置により切断して、多数のブロック体１６に分断する切断工程と、分断されたブロック体１６を除去する撤去工程とを含んでいる。切断工程の前に、建築物１０の外周に沿って、仮設の鉄骨フレーム１４を設置し、その後に、切断工程の開始前に、予め分断予定のブロック体１６を鉄骨フレーム１４に吊り固定するか、切断工程を実行しつつ、完全に分断される前に当該ブロック体１６を鉄骨フレーム１４に吊り固定する。その後は、切断作業を続行しながら、撤去工程を行う。  【選択図】  図４
2008261121.tif 000002
【特許請求の範囲】
【請求項１】
解体対象建築物をワイヤソーなどの切断装置により切断して、多数のブロック体に分断する切断工程と、分断された前記ブロック体を除去する撤去工程とを含む鉄筋コンクリート建築物の解体工法において、
前記切断工程の前に、前記建築物の外周に沿って、仮設の鉄骨フレームを設置する工程を行い、
その後に、前記切断工程の開始前に、予め分断予定の前記ブロック体を前記鉄骨フレームに吊り固定するか、または、前記切断工程を実行しつつ、完全に分断される前に当該ブロック体を前記鉄骨フレームに吊り固定する工程を行い、
前記切断作業を続行しながら、前記撤去工程を行うことを特徴とする鉄筋コンクリート建築物の解体工法。
【請求項２】
前記撤去工程が上階側で終了した後に、前記鉄骨フレームの上端側を、順次下階側に盛り替えることを特徴とする請求項１記載の鉄筋コンクリート構築物の解体工法。
【請求項３】
前記ブロック体を前記鉄骨フレームに吊り固定する際には、前記ブロック体に、これを貫通する吊り鋼棒を固定し、前記鉄骨フレームに固定された吊り金具にチェーンブロックを吊下し、前記チェーンブロックと前記吊り鋼棒との間に玉掛けワイヤを取付て、前記チェーンブロックの操作により、前記玉掛けワイヤーを引張ることで行うことを特徴とする請求項１または２記載の鉄筋コンクリート構築物の解体工法。
【発明の詳細な説明】
【技術分野】
【０００１】
本発明は、鉄筋コンクリート建築物の解体工法に関し、特に、ワイヤソーなどの切断装置を用いてコンクリート建築物を切断・解体する際の改良技術に関するものである。
【背景技術】
【０００２】
コンクリート建築物の解体工法として、これをワイヤソーによりブロック状に切断して、解体する技術が、施工能率，騒音，粉塵対策の面などから近時注目されている。この種の工法では、ワイヤロープにスペーサを介在させて、ダイヤモンドビースを嵌装したワイヤソーが用いられ、このような構造のワイヤソーに張力を導入した状態で、循環走行させ、ダイヤモンドビースとコンクリートとの間に発生する摩擦により切断が行われる。このようなワイヤソーを用いるコンクリート建築物の切断ないしは解体工法は、例えば、特許文献１，２，３などに開示されている。
【０００３】
ところで、近時、耐震設計の基準を満たさないマンションなどの建築物が建築され、このような建築物は、居住し続けるのに不安があって、部分的に補強することにより耐震設計基準を確保するか、あるいは、耐震設計基準を補強や補修により確保することが困難な場合には、全体を解体した後に、再建築することが検討されている。
【０００４】
このような建築物の解体においても、環境対策などの観点から、上述したワイヤソーを用いる解体工法の適用が考えられるが、コンクリート建築物全体をワイヤソーにより切断して解体する場合には、以下に説明する技術的な課題があった。
【０００５】
【特許文献１】特開平５−１４１１０６号公報
【特許文献１】特開平７−３２９０５２号公報
【特許文献１】特開２００３−３０５７１５号公報
【発明の開示】
【発明が解決しようとする課題】
【０００６】
すなわち、上記特許文献に開示されているワイヤソーによる建築物の切断解体工法では、鉄筋コンクリート製の建築物の柱，梁，壁などの各構成部分を、ブロック状に切断して、分離されたブロックを撤去することになるが、切断により分離されたブロックは、そのままの状態にしておくと、倒壊することになるので、クレーンでこれを吊りながら切断作業を行い、その後にクレーで吊下げ撤去していた。
【０００７】
ところが、このような方法でブロックの撤去作業を行う場合には、ワイヤソーによる切断作業を一時的に停止して行っていたので、施工能率が低下するという問題があった。
【０００８】
本発明は、このような従来の問題点に鑑みてなされたものであって、その目的とするところは、施工能率の低下が回避できる鉄筋コンクリート建築物の解体工法を提供することにある。
【課題を解決するための手段】
【０００９】
上記目的を達成するため、本発明は、解体対象建築物をワイヤソーなどの切断装置により切断して、多数のブロック体に分断する切断工程と、分断された前記ブロック体を除去する撤去工程とを含む鉄筋コンクリート建築物の解体工法において、前記切断工程の前に、前記建築物の外周に沿って、仮設の鉄骨フレームを設置する工程を行い、その後に、前記切断工程の開始前に、予め分断予定の前記ブロック体を前記鉄骨フレームに吊り固定するか、または、前記切断工程を実行しつつ、完全に分断される前に当該ブロック体を前記鉄骨フレームに吊り固定する工程を行い、前記切断作業を続行しながら、前記撤去工程を行うようにした。
【００１０】
このように構成した鉄筋コンクリート建築物の解体工法によれば、仮設の鉄骨フレームを設置する工程を行い、その後に、切断工程の開始前に予め分断予定のブロック体を鉄骨フレームに吊り固定するか、または、切断工程を実行しつつ、完全に分断される前にブロック体を鉄骨フレームに吊り固定する工程を行うので、分断・分離されたブロック体の倒壊が防止される。
【００１１】
また、分断・分離されたブロック体の倒壊が防止されると、ワイヤソーなどの切断装置による切断作業を続行しながら、撤去工程を行うことが可能になり、切断作業の中断させる必要がなくなり、施工能率が大幅に向上する。
【００１２】
前記解体工程が上階側で終了した後に、前記鉄骨フレームの上端側を、順次下階側に盛り替えることができる。
【００１３】
前記ブロック体を前記鉄骨フレームに吊り固定する際には、前記ブロック体に、これを貫通する吊り鋼棒を固定し、前記鉄骨フレームに固定された吊り金具にチェーンブロックを吊下し、前記チェーンブロックと前記吊り鋼棒との間に玉掛けワイヤを取付て、前記チェーンブロックの操作により、前記玉掛けワイヤーを引張ることで行うことができる。
【発明の効果】
【００１４】
本発明に係る鉄筋コンクリート建築物の解体工法によれば、施工能率が向上する。
【発明を実施するための最良の形態】
【００１５】
以下、本発明の最良の実施形態について、添付図面を参照にして詳細に説明する。図１から図１３は、本発明に係る鉄筋コンクリート建築物の解体工法の一実施例話示している。
【００１６】
図１は、本実施例で解体しようとしている鉄筋コンクリート建築物の一例を示しており、同図には、鉄筋コンクリート製の２階建ての建築物１０が示されている。なお、図１においては、理解を容易にするため、上階の天井部は、除去して示している。
【００１７】
建築物１０の全体を解体する際には、まず、図２に示すように、上階および下階の壁１０ａにケミカルアンカー１２が打設される。このケミカルアンカー１２は、後述する鉄骨フレーム１４を係止するために用いられる。このアンカーは、ケミカル方式に限る必要はなく、例えば、金属拡張アンカーや躯体に孔をあけて、ボルトを貫通させた後に締め込む方式であってもよい。
【００１８】
ケミカルアンカー１２が所定の位置に打設されると、次に、図３に示すように、鉄骨フレーム１４が設置される。鉄骨フレーム１４は、仮設用ものであって、本実施例では、Ｈ型鋼からなる複数の仮設柱１４ａと仮設吊り桁１４とが用いられている。
【００１９】
仮設柱１４ａは、建築物１０の外側面に沿って所定の間隔を隔てて立設され、継手を介して、ケミカルアンカー１２に固定される。複数の仮設吊り桁１４ｂは、ボルトにより仮設柱１４ａの上端に固定される。
【００２０】
鉄骨フレーム１４の設置が終了すると、次に、図４に示すように、ワイヤソーにより分断される上階側の壁１０ａ（柱を含む）の各ブロック体１６を鉄骨フレーム１４に吊り固定する工程が行われる。
【００２１】
この吊り固定工程は、ワイヤソーにより壁１０ａを、どのように分断してブロック体１８とするのか、予め施工前に設定することができるので、ワイヤソーによる切断作業の開始前に、予め各ブロック体１６を吊り固定することもできるし、ワイヤソーによる切断作業を行いながら、ブロック体１６が残りの部分から完全に分離・分断される前に、吊り固定するようにしてもよい。
【００２２】
この吊り固定の具体的な手断は、図８，９，１０に示している。本実施例の場合、ブロック体１６を固定する際には、吊り鋼棒１８と、チェーンブロック２０と、玉掛けワイヤ２２と、吊り金具２４とが用いられる。
【００２３】
吊り鋼棒１８は、両端にネジが刻設された所定長さの棒体であって、ブロック体１６の上端側に穿設された貫通孔２６内に挿入され、両端にワッシャを介在させて、ナット２８を螺着することにより、ブロック体１６に固定される。
【００２４】
なお、ブロック体１６の吊り構造は、吊り鋼棒１８を用いることだけでなく、例えば、直接玉掛けワイヤ２２をブロック体１６に巻き掛ける構成、ブロック体１６にアンカーを打設する構成などを採用することもできる。
【００２５】
吊り金具２４は、図１０にその詳細を示すように、Ｌ字形に折曲されたプレートであって、仮設吊り桁１４ｂのフランジに取付ボルト３０を介して固定される。チェーンブロック２０は、吊り金具２４にシャックル３２を介して、吊下げ支持される。
【００２６】
玉掛けワイヤ２２は、吊り鋼棒２４とチェーンブロック２０との間に取り付けられる。図１０に示した状態でチェーンブロック２０を操作して、玉掛けワイヤ２２を引張ることで、ブロック体１６を仮設吊り桁１４ｂに吊り固定することができる。
【００２７】
ブロック体１６の吊り固定が行われると、ワイヤソーによる壁１０ａの切断工程が行われ、壁１０ａなどを水平および垂直に切断することでブロック体１６が分断・分離される。図１１には、ワイヤソーマシン３４を壁１０ａの内面側にアンカー３６を介して固定し、ワイヤソー３８を循環走行させることにより、壁１０ａを垂直に切断する状態が示されている。
【００２８】
ワイヤソー３８は、回転シーブを介装することで任意の方向に走行方向の転換が可能になる。なお、図１１に示した例では、ワイヤソーマシン３４の設置個所が内部に確保できない場合には、壁１０ａの外面がわに設置することもできる。
【００２９】
また、図１２には、ワイヤソーマシン３４を上階の床１０ｂにアンカー３６を介して固定し、ワイヤソー３８を循環走行させることにより、壁１０ａを垂直に切断する状態が示されている。なお、壁１０ａの切断作業は、ワイヤソー３８に限る必要はなく、例えば、ウォールソーによる切断でもよく、さらにはこれらの併用であってもよい。
【００３０】
以上のようなワイヤソー３８による壁１０ａの切断作業がある程度進行し、ブロック体１６が複数分断されると、次に、図５に示すように、分断したブロック体１６の除去が行われる。ブロック体１６の除去には、クレーン４０が使用され、この際には、ブロック体１６の吊り固定に用いた玉掛けワイヤ２２をクレーン４０のフックに取り付けて行う。
【００３１】
このようなクレーン４０による除去作業中もワイヤソー３８による壁１０ａなどの切断作業は続行され、建築物１０の上階側が全て除去されると、次に、図６に示すように、鉄骨フレーム１４の盛り替え作業が行われる。
【００３２】
このような盛り替えを可能にするために、本実施例の場合、仮設柱１４ａは、階層高さに対応した部分で連結されているので、仮設柱１４ａの上階分を除去して、仮設柱１４ａの上端に仮設吊り桁１４ｂを固定することで盛り替え作業が完了し、この完了状態が図７に示されている。
【００３３】
以上の盛り替え作業が終了すると、その後は、図４〜図５の工程が順次、繰り返され、このような作業を順次繰り返すことで、建築物１０の全体の撤去が完了する。
【００３４】
さて、以上のように構成した鉄筋コンクリート建築物１０の解体工法によれば、仮設の鉄骨フレーム１４を設置する工程を行い、その後に、切断工程の開始前に予め分断予定のブロック体１６を鉄骨フレーム１４に固定するか、切断工程を実行しつつ、完全に分断される前にブロック体１６を鉄骨フレーム１４に吊り固定する工程を行うので、分断されたブロック体１６の倒壊が防止される。
【００３５】
また、分断されたブロック体１６の倒壊が防止されるので、ワイヤソー３８などの切断装置による切断作業を続行しながら、解体工程を行うことが可能になり、切断作業の中断させる必要がなくなり、施工能率が大幅に向上する。
【００３６】
なお、上記実施例では、建築物１０の壁１０ａの切断・撤去を例にとって説明したが、建築物１０の梁，床，天井なども上記と同様にブロック体に分断して撤去することができる。
【産業上の利用可能性】
【００３７】
本発明にかかる鉄筋コンクリート建築物の解体工法によれば、施工能率を大幅に向上させることができるので、建築物の全体を解体する場合などに有効に活用することができる。
【図面の簡単な説明】
【００３８】
【図１】本発明にかかる解体工法が適用される鉄筋コンクリート建築物の一例を示す説明図である。
【図２】本発明にかかる鉄筋コンクリート建築物の解体工法の施工開始時の説明図である。
【図３】図２に引続いて行われる工程の説明図である。
【図４】図３に引続いて行われる工程の説明図である。
【図５】図４に引続いて行われる工程の説明図である。
【図６】図５に引続いて行われる工程の説明図である。
【図７】図６に引続いて行われる工程の説明図である。
【図８】本発明の実施過程において、ブロック体を鉄骨フレームに吊り固定した状態の説明図である。
【図９】図８に示したブロック体の上端側の断面図である。
【図１０】図８の要部拡大図である。
【図１１】ワイヤソーにより壁を切断する際の一例を示す説明図である。
【図１２】ワイヤソーにより壁を切断する際の他の例を示す説明図である。
【符号の説明】
【００３９】
１０          鉄筋コンクリート建築物
１２          ケミカルアンカー
１４          鉄骨フレーム
１６          ブロック体
１８          吊り鋼棒
２０          チェーンブロック
２２          玉掛けワイヤ
２４          吊り金具
【図１】
2008261121.tif 000003
【図２】
2008261121.tif 000004
【図３】
2008261121.tif 000005
【図４】
2008261121.tif 000006
【図５】
2008261121.tif 000007
【図６】
2008261121.tif 000008
【図７】
2008261121.tif 000009
【図８】
2008261121.tif 000010
【図９】
2008261121.tif 000011
【図１０】
2008261121.tif 000012
【図１１】
2008261121.tif 000013
【図１２】
2008261121.tif 000014